【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  情報機器と携帯電話とが通信可能に接続され、携帯電話は、情報ネットワークから提供される情報を、予め定める条件に基づいて選択し、情報機器に取得させる情報受信装置であって、
携帯電話は、
情報機器が情報の取得を行う発信者を選択する条件を設定する発信者設定手段と、
着信時に、発信者設定手段を照合し、発信者が発信者設定手段に設定されている条件に適合しているか否かを判断する発信者照合手段と、
発信者照合手段によって、着信の発信者が発信者設定手段に設定されている条件に適合していると判断される場合に、情報機器に着信信号を伝達する着信信号伝達手段とを含み、
情報機器は、
携帯電話の着信信号伝達手段からの着信信号を検出する着信信号検出手段と、
着信信号検出手段からの出力が入力され、着信信号の検出時に、情報機器の状態を判定し、予め設定される情報ネットワーク上の情報提供者に接続可能な状態に設定し、該情報提供者に接続して、提供される情報を受信するように制御する制御手段とを含むことを特徴とする情報受信装置。
【請求項２】  前記携帯電話は、
前記情報機器と接続されるドッキング状態を検出するドッキング検出手段と、
ドッキング検出手段によってドッキング状態となっていることが検出されない場合、前記発信者照合手段によって発信者が前記発信者設定手段に設定されている条件に適合していると判断される時点で、判断結果を記憶しておき、ドッキング検出手段によってドッキング状態となっていることが検出される時点で、記憶された判断結果に従って、前記着信信号伝達手段から着信信号を情報機器に伝達させる記憶手段とをさらに含むことを特徴とする請求項１記載の情報受信装置。
【請求項３】  前記情報機器の制御手段は、前記着信信号の検出時の情報機器の状態を記憶するとともに、前記情報提供者からの情報の受信を終了した後で、前記記憶した情報機器の状態に復元するように制御することを特徴とする請求項１または２記載の情報受信装置。
【請求項４】  情報機器と接続可能で、情報ネットワークから提供される情報を、予め定める条件に基づいて選択し、接続される情報機器に取得させる携帯電話であって、
情報機器が情報の取得を行う発信者を選択する条件を設定する発信者設定手段と、
着信時に、発信者設定手段を照合し、発信者が発信者設定手段に設定されている条件に適合しているか否かを判断する発信者照合手段と、
発信者照合手段によって、着信の発信者が発信者設定手段に設定されている条件に適合していると判断される場合に、情報機器に着信信号を伝達する着信信号伝達手段とを含むことを特徴とする携帯電話。
【請求項５】  情報ネットワークを介してユーザに各種の情報を提供する情報提供サーバを、変更監視サーバが定期的に監視し、変更があれば変更監視サーバがユーザに変更を通知し、ユーザが情報提供サーバから変更された情報を情報機器に取得させる情報配信方法において、
変更監視サーバからユーザへの変更の通知は、ユーザの指定する携帯電話に対して行い、
携帯電話は、変更監視サーバを特定発信者として設定しておき、着信時に、発信者が特定発信者に一致しているか否かを照合し、一致しているときに情報機器に着信の通知を行い、
情報機器は、携帯電話からの着信の通知に従って、情報提供サーバからの情報を受信することを特徴とする情報配信方法。
【手続補正２】
【補正対象書類名】明細書
【補正対象項目名】００１６
【補正方法】変更
【補正の内容】
【００１６】
【課題を解決するための手段】
本発明は、情報機器と携帯電話とが通信可能に接続され、携帯電話は、情報ネットワークから提供される情報を、予め定める条件に基づいて選択し、情報機器に取得させる情報受信装置であって、
携帯電話は、
情報機器が情報の取得を行う発信者を選択する条件を設定する発信者設定手段と、
着信時に、発信者設定手段を照合し、発信者が発信者設定手段に設定されている条件に適合しているか否かを判断する発信者照合手段と、
発信者照合手段によって、着信の発信者が発信者設定手段に設定されている条件に適合していると判断される場合に、情報機器に着信信号を伝達する着信信号伝達手段とを含み、
情報機器は、
携帯電話の着信信号伝達手段からの着信信号を検出する着信信号検出手段と、
着信信号検出手段からの出力が入力され、着信信号の検出時に、情報機器の状態を判定し、予め設定される情報ネットワーク上の情報提供者に接続可能な状態に設定し、該情報提供者に接続して、提供される情報を受信するように制御する制御手段とを含むことを特徴とする情報受信装置である。
【手続補正３】
【補正対象書類名】明細書
【補正対象項目名】００１７
【補正方法】変更
【補正の内容】
【００１７】
本発明に従えば、情報機器と携帯電話とは通信可能に接続され、情報ネットワークから提供される情報を受信する。携帯電話は、発信者設定手段と、発信者照合手段と、着信信号伝達手段とを含む。発信者設定手段には、情報機器が情報の取得を行う発信者を選択する条件を設定する。発信者照合手段は、着信時に、発信者設定手段を照合して、発信者が発信者設定手段に設定されている条件に適合しているか否かを判断する。着信信号伝達手段は、発信者照合手段によって、着信の発信者が発信者設定手段に設定されている条件に適合していると判断される場合に、情報機器に着信信号を伝達する。情報機器は、着信信号検出手段と、制御手段とを含む。着信信号検出手段は、携帯電話の着信号伝達手段からの着信信号を検出する。制御手段は、着信信号検出手段による着信信号の検出をトリガとして、情報機器の状態を判定し、たとえば電源の供給が停止されているときは電源を供給させ、予め設定される情報ネットワーク上の情報提供者に接続して、提供される情報を受信するように制御する。
【手続補正４】
【補正対象書類名】明細書
【補正対象項目名】００２１
【補正方法】変更
【補正の内容】
【００２１】
また本発明で前記情報機器の制御手段は、前記着信信号の検出時の情報機器の状態を記憶するとともに、前記情報提供者からの情報の受信を終了した後で、前記記憶した情報機器の状態に復元するように制御することを特徴とする。
【手続補正５】
【補正対象書類名】明細書
【補正対象項目名】００２２
【補正方法】変更
【補正の内容】
【００２２】
本発明に従えば、情報機器の制御手段は、着信信号の検出時の情報機器の状態を記憶しておき、情報提供者からの情報の受信後に前記着信信号の検出時の情報機器の状態を復元することができるので、情報機器が電源のオン状態とオフ状態とのほかに、メモリの記憶内容を保持するような一定の省電力機能を備えているような場合であっても、情報の受信後に情報の受信前の状態に復帰させることができる。制御手段は、情報機器の状態を判定して、たとえば電源の供給が停止されているときには電源を供給させて、情報機器を動作させてから、情報ネットワーク上の情報の受信を行わせることができるので、情報機器は着信信号検出手段や制御手段を除いて、電源の供給を停止し、電力消費の低減を図り、かつ情報の受信が可能なときには、直ちに電源を自動的に投入して、情報の受信を行わせることができる。
【手続補正６】
【補正対象書類名】明細書
【補正対象項目名】００５５
【補正方法】変更
【補正の内容】
【００５５】
また本発明によれば、情報機器は、携帯電話からの着信信号をトリガとして、情報機器の状態の変更を伴う制御を行い、情報の受信終了後にはその情報機器を着信時の状態に復元することができるので、情報機器が常時情報ネットワークからの通知を受信する体制になくても、着信時からの遅れが少ない状態で、提供される情報を受信することができる。